(57)【特許請求の範囲】
【請求項１】
側面にトレイ搬送口が形成された筐体と、
ディスクが載置されるトレイと、
前記筐体の外側の排出位置と前記筐体の内側の記録再生位置との間で前記トレイ搬送口を通じて前記トレイを搬送方向に搬送するトレイ搬送機構と、
前記記録再生位置に位置する前記ディスクの第一面に対して半径方向に移動可能に設けられ、前記第一面に対して情報の記録と再生との少なくとも一方を行う第１光ピックアップユニットと、
前記第１光ピックアップユニットを移動可能に保持する第１トラバースシャーシと、
前記記録再生位置に位置する前記ディスクの、前記第一面の裏側の第二面に対して半径方向に移動可能に設けられ、前記第二面に対して情報の記録と再生との少なくとも一方を行う第２光ピックアップユニットと、
前記第２光ピックアップユニットを移動可能に保持する第２トラバースシャーシと、
前記第１トラバースシャーシと前記第２トラバースシャーシとを互いに近づける方向にそれぞれ付勢する第１付勢部材及び第２付勢部材と、を備え、
前記第１トラバースシャーシと前記第２トラバースシャーシとは、回動軸を中心として回動するように互いに連結され、前記回動軸は、前記筐体における、前記筐体の前記側面の反対側に位置するとともに、前記搬送方向及び前記筐体の厚さ方向に対して直交する前記筐体の幅方向に延在し、
前記第１付勢部材と第２付勢部材との少なくとも一方は、前記第１トラバースシャーシに取り付けられた第一端と、前記第２トラバースシャーシに取り付けられた第二端と、を有し、前記搬送方向、前記厚さ方向、及び前記幅方向のそれぞれに対して傾斜している、
ディスク装置。
【請求項２】
前記筐体における、前記側面の反対側に位置するとともに、前記幅方向の両端部にそれぞれ位置する第１連結部及び第２連結部をさらに備え、
前記第１トラバースシャーシと前記第２トラバースシャーシとは、前記第１連結部及び前記第２連結部で連結され、
前記第１付勢部材は、前記第１連結部の近傍に取り付けられ、
前記第２付勢部材は、前記第２連結部の近傍に取り付けられている、
請求項１に記載のディスク装置。
【請求項３】
前記第１トラバースシャーシと前記第２トラバースシャーシとは、前端部と、前記前端部よりも前記側面から遠い後端部とをそれぞれ有し、
前記第１トラバースシャーシ及び前記第２トラバースシャーシの前記前端部のそれぞれを、前記第１付勢部材及び第２付勢部材の付勢力に抗して前記トレイから離れるように前記回動軸を中心として回動させる回動機構をさらに備えた、
請求項１、２のいずれか一項に記載のディスク装置。
【請求項４】
前記回動機構は、前記トレイ搬送機構が前記トレイを前記記録再生位置から前記排出位置に搬送する駆動力を利用して、前記第１トラバースシャーシ及び前記第２トラバースシャーシの前記前端部のそれぞれを、前記トレイから離れるように前記回動軸を中心として回動させる、
請求項３に記載のディスク装置。
【請求項５】
前記トレイ上に載置された前記ディスクを支持するターンテーブルをさらに備え、
前記第１トラバースシャーシには、前記ターンテーブルを回動駆動するスピンドルモータが設けられ、
前記第２トラバースシャーシには、前記ディスクを前記ターンテーブル上にクランプするクランパが設けられている、
請求項１〜４のいずれか一項に記載のディスク装置。
【請求項６】
前記第２トラバースシャーシには、主軸と副軸とが取り付けられ、
前記第２光ピックアップユニットには、ガイド穴が設けられ、
前記主軸は、前記ディスクの半径方向と平行に配置され、前記ガイド穴を貫通して前記第２光ピックアップユニットを摺動可能に支持するとともに前記第２光ピックアップユニットの移動を案内するように構成され、
前記副軸は、前記主軸と平行に配置され、前記主軸と協働して前記第２光ピックアップユニットを摺動可能に支持するとともに前記第２光ピックアップユニットの移動を案内するように構成され、
前記主軸の両端部の近傍部分及び前記副軸の両端部の近傍部分には、前記第２トラバースシャーシの厚さ方向における前記主軸と前記副軸との一方の位置を調整可能な調整部材がそれぞれ設けられている、
請求項１〜５のいずれか一項に記載のディスク装置。
【発明の詳細な説明】
【技術分野】
【０００１】
本開示は、ＤＶＤ（ｄｉｇｉｔａｌ  ｖｅｒｓａｔｉｌｅ  ｄｉｓｋ）、ＢＤ（Ｂｌｕ−ｒａｙ（登録商標）  ｄｉｓｃ）、ＡＤ（Ａｒｃｈｉｖａｌ  Ｄｉｓｃ）等の光ディスクに対して、情報の記録及び／又は再生（以下、記録再生と略す）を行うことができるディスク装置に関する。
【背景技術】
【０００２】
従来、種々の構造のディスク装置が知られている（例えば、特許文献１参照）。従来のディスク装置は、通常、一枚のディスクの一主面に対して記録再生を行うことができるように構成されている。以下、この種のディスク装置を「ディスクドライブ」ともいう。【０００３】
また、近年、複数台のディスクドライブを含み、複数枚のディスクに対して同時に記録再生を行うことができるように構成されたディスク装置も普及してきている（例えば、特許文献２参照）。以下、この種のディスク装置を「データアーカイバ」ともいう。
【先行技術文献】
【特許文献】
【０００４】
【特許文献１】特開２０１３−１４５６２４号公報
【特許文献２】特開２０１３−２０６４９８号公報
【発明の概要】
【０００５】
本開示は、ディスクに対する第１光ピックアップユニット及び第２光ピックアップユニットの位置精度をより向上させることができるディスク装置を提供する。
【０００６】
本開示におけるディスク装置は、筐体と、トレイと、トレイ搬送機構と、第１光ピックアップユニットと、第１トラバースシャーシと、第２光ピックアップユニットと、第２トラバースシャーシと、第１付勢部材及び第２付勢部材とを有する。筐体の側面にはトレイ搬送口が形成されている。トレイにはディスクが載置される。トレイ搬送機構は、筐体の外側の排出位置と筐体の内側の記録再生位置との間でトレイ搬送口を通じてトレイを搬送方向に搬送する。第１光ピックアップユニットは、記録再生位置に位置するディスクの第一面に対して半径方向に移動可能に設けられ、第一面に対して情報の記録と再生との少なくとも一方を行う。第１トラバースシャーシは、第１光ピックアップユニットを移動可能に保持している。第２光ピックアップユニットは、記録再生位置に位置するディスクの、第一面の裏側の第二面に対して半径方向に移動可能に設けられ、第二面に対して情報の記録と再生との少なくとも一方を行う。第２トラバースシャーシは、第２光ピックアップユニットを移動可能に保持している。第１付勢部材及び第２付勢部材はそれぞれ、第１トラバースシャーシと第２トラバースシャーシとを互いに近づける方向に付勢する。第１トラバースシャーシと第２トラバースシャーシとは、回動軸を中心として回動するように互いに連結されている。この回動軸は、筐体における、上記側面の反対側に位置するとともに、搬送方向及び筐体の厚さ方向に対して直交する筐体の幅方向に延在している。第１付勢部材と第２付勢部材との少なくとも一方は、第１トラバースシャーシに取り付けられた第一端と、第２トラバースシャーシに取り付けられた第二端と、を有し、搬送方向、厚さ方向、及び幅方向のそれぞれに対して傾斜している。
【０００７】
本開示におけるディスク装置は、ディスクに対する第１光ピックアップユニット及び第２光ピックアップユニットの位置精度をより向上させることができる。
【図面の簡単な説明】
【０００８】
【図１】実施の形態におけるディスク装置の、トレイが記録再生位置に位置する状態を示す斜視図
【図２】図１に示すディスク装置の、トレイが排出位置に位置する状態を示す斜視図
【図３】図１に示すディスク装置の分解斜視図
【図４】図１に示すディスク装置において、トレイよりも上方に位置する部品等を取り外した状態を示す斜視図
【図５】図２に示すディスク装置において、トレイよりも上方に位置する部品等を取り外した状態を示す斜視図
【図６】図４に示す状態から更にトレイを取り外した状態のディスク装置の一部を示す斜視図
【図７Ａ】図６に示す状態から更にメカシャーシ及び底ケースを取り外した状態のディスク装置の一部を斜め上方から見た斜視図
【図７Ｂ】図７Ａに示す状態のディスク装置の一部を斜め下方から見た斜視図
【図８】図３に示すディスク装置の、トレイのディスク載置面とは反対側の面の平面図
【図９Ａ】図３に示すディスク装置の、第１光ピックアップユニットを保持している第１トラバースシャーシを斜め上方から見た斜視図
【図９Ｂ】図９Ａに示す状態の第１トラバースシャーシを斜め下方から見た斜視図
【図９Ｃ】図９Ａに示す状態の第１トラバースシャーシを上方から見た平面図
【図１０Ａ】図３に示すディスク装置の、第２光ピックアップユニットを保持している第２トラバースシャーシを斜め上方から見た斜視図
【図１０Ｂ】図１０Ａに示す第２トラバースシャーシを斜め下方から見た斜視図
【図１０Ｃ】図１０Ａに示す第２トラバースシャーシを下方から見た平面図
【図１１】図１０Ｃの１１−１１線における断面図
【図１２Ａ】図９Ａに示す第１トラバースシャーシと、図１０Ａに示す第２トラバースシャーシとを互いに連結した状態を示す斜視図
【図１２Ｂ】図１２Ａに示す第１トラバースシャーシと第２トラバースシャーシとが互いに連結した状態を異なる方向から示す斜視図
【図１３Ａ】図３に示すディスク装置の、中間ベースのカムピンが、スライドカムに設けられたカム溝に沿って移動する様子を模式的に示す断面図
【図１３Ｂ】図１３Ａに示す中間ベースのカムピンが、スライドカムに設けられたカム溝に沿ってさらに移動する様子を模式的に示す断面図
【図１３Ｃ】図１３Ｂに示す中間ベースのカムピンが、スライドカムに設けられたカム溝に沿ってさらに移動する様子を模式的に示す断面図
【図１３Ｄ】図１３Ｃに示す中間ベースのカムピンが、スライドカムに設けられたカム溝に沿ってさらに移動する様子を模式的に示す断面図
【図１４】図１に示すディスク装置から筐体を取り除いた状態で、トレイが記録再生位置に位置するときの各種部品、装置、及び機構の状態のディスク装置の一部を示す側面図
【図１５】図５に示す状態から更にトレイを取り外した状態のディスク装置の一部を示す斜視図
【図１６】図１４に示す状態のディスク装置の一部において、トレイが排出位置に位置するときの各種部品、装置、及び機構の状態を示す側面図
【発明を実施するための形態】
【０００９】
本発明の実施の形態の説明に先立ち、従来の装置における問題点を簡単に説明する。データアーカイバは、複数台のディスクドライブを含むため、装置が大型化する傾向にある。また、データアーカイバに求められる記録再生可能なデータ量は増加する傾向にある。
【００１０】
そこで、一枚のディスクの両主面に対して同時に記録再生を行うことができるディスク装置が検討されている。具体的には、一枚のディスクの第一面に対して記録再生を行う第１光ピックアップユニットと、同じディスクの第二面に対して記録再生を行う第２光ピックアップユニットとを有するディスク装置が検討されている。このディスク装置によれば、装置の大型化を抑えるとともに、記録再生可能なデータ量を増加することができる。
【００１１】
しかしながら、このディスク装置においては、一枚のディスクの両主面に対して同時に記録再生を行うため、ディスクに対する第１光ピックアップユニット及び第２光ピックアップユニットの位置精度をより向上させる必要がある。
【００１２】
以下、適宜図面を参照しながら、実施の形態によるディスク装置を詳細に説明する。但し、必要以上に詳細な説明は省略する場合がある。例えば、既によく知られた事項の詳細な説明や実質的に同一の構成に対する重複説明を省略する場合がある。これは、以下の説明が不必要に冗長になるのを避け、当業者の理解を容易にするためである。
【００１３】
なお、当業者が本開示を十分に理解するために添付図面及び以下の説明が提供されるのであって、これらによって請求の範囲に記載の主題を限定することを意図するものではない。
【００１４】
また、以下の説明では、特定の方向を意味する用語（例えば、「上」、「下」、「右」、「左」、「前」、「後」及びそれらを含む用語を使用する場合があるが、それらの用語は図面を参照した発明の理解を容易にするためであって、それらの用語の意味によって本発明は限定的に解釈されるべきものではない。
【００１５】
以下、本実施の形態におけるディスク装置を説明する。
【００１６】
［１−１．構成］
図１及び図２は、本実施の形態におけるディスク装置１の斜視図である。図３は、ディスク装置１の分解斜視図である。
【００１７】
図１及び図２に示すように、ディスク装置１は、略直方体形状の筐体２を有している。筐体２内には、図３に示すように、トレイ３と、トレイ搬送機構４と、第１光ピックアップユニット５と、第１トラバースシャーシ６と、第２光ピックアップユニット７と、第２トラバースシャーシ８と、回動機構９とが設けられている。
【００１８】
筐体２は、図３に示すように、蓋ケース２１と、メカシャーシ２２と、底ケース２３とを有している。メカシャーシ２２は、ディスク（図示せず）の両主面に対して情報の記録再生を行うための各種部品、装置、及び機構を搭載している。ディスクの両主面とは、第一面と、第一面の裏側の第二面とを意味する。樹脂製のメカシャーシ２２は、上面が開口した概ね矩形箱状の形状を有する。蓋ケース２１は、メカシャーシ２２の上面開口部を覆うように形成され、メカシャーシ２２に固定されている。底ケース２３は、メカシャーシ２２の底部を覆うように形成され、メカシャーシ２２に固定されている。
【００１９】
図２に示すように、筐体２の前方（左下側）の側面２Ａには、トレイ搬送口２ａが設けられている。トレイ搬送口２ａは、トレイ３の幅よりもやや大きめに形成された開口部である。トレイ３は、トレイ搬送口２ａを通じて、トレイ搬送機構４により、図２及び図５に示す筐体２の外側の排出位置Ｐ１と、図４に示す筐体２の内側の記録再生位置Ｐ２との間で搬送方向Ｘに搬送される。図４及び図５は、トレイ３より上方に設けられる部品等を取り外した状態を示す斜視図である。
【００２０】
図１及び図４は、トレイ３が筐体２の内側の記録再生位置Ｐ２に搬送された状態を示している。この状態において、トレイ搬送口２ａは、図１に示すように、筐体２の前方に開閉可能に取り付けられた扉２４により閉鎖されている。扉２４は、筐体２の前方の下端部において筐体２の幅方向Ｙに延在する回動軸２４ａを中心として回動自在に取り付けられている。扉２４は、トレイ搬送口２ａを閉鎖した状態を維持するように、２つのねじりコイルばね２５により付勢されている。なお、図４は、扉２４及びねじりコイルばね２５を図示していない。
【００２１】
図２及び図５は、トレイ３が筐体２の外側の排出位置Ｐ１に位置する状態を示している。トレイ３が記録再生位置Ｐ２から排出位置Ｐ１に搬送されるとき、トレイ３の前端部３ａが、トレイ搬送口２ａを通過して扉２４を筐体２の内側から押す。これにより、扉２４が、ねじりコイルばね２５の付勢力に抗して回動軸２４ａを中心として回動し、トレイ搬送口２ａが開放される。一方、トレイ３が排出位置Ｐ１から記録再生位置Ｐ２に搬送されるとき、トレイ３の前端部３ａが、トレイ搬送口２ａを通過して筐体２内に戻る。これにより、扉２４が、ねじりコイルばね２５の付勢力により回動軸２４ａを中心として逆方向に回動し、トレイ搬送口２ａが閉鎖される。
【００２２】
樹脂製のトレイ３には、ＤＶＤ、ＢＤ、ＡＤなどのディスク（図示せず）が載置される。トレイ３は、平面視において略矩形の外形を有している。トレイ３には、ディスクをガタツキなく保持するために、複数の保持部３ｂが形成されている。複数の保持部３ｂは、それぞれ、ディスクの外周部に沿う円弧部を有し、トレイ３の表面から上方に離れるに従いこれらの円弧部の直径が大きくなるようにテーパ状に形成されている。トレイ３は、その厚さ方向が筐体２の厚さ方向Ｚと一致するように配置される。ディスクの両主面には、各種情報が記録されている。トレイ３には、ディスクの第一面（下面）に対して情報の記録再生ができるように、開口部３ｃが設けられている。
【００２３】
図６は、図４に示す状態から更にトレイ３を取り外した状態を示している。図７Ａ及び図７Ｂは、図６に示す状態から更にメカシャーシ２２及び底ケース２３を取り外した状態の、ディスク装置１の一部を斜め上方から見た斜視図である。
【００２４】
図６に示すメカシャーシ２２の前方（左下側）には、図７Ａ、図７Ｂに示すトレイ搬送機構４が設けられている。トレイ搬送機構４は、排出位置Ｐ１と記録再生位置Ｐ２との間でトレイ搬送口２ａを通じてトレイ３を搬送方向Ｘに搬送する。トレイ搬送機構４は、図３、図７Ａ及び図７Ｂに示すように、ローディングモータ４１と、ホイールギヤ４２と、中間ギヤ４３と、駆動ギヤ４４と、スライダ４５とを有している。スライダ４５は、ラック４５ａと、カムピン４５ｄとを含む。
【００２５】
ローディングモータ４１は、トレイ３を搬送する駆動力を発生させる。ローディングモータ４１が発生させる駆動力は、後述するように回動機構９を駆動する駆動力としても利用される。ローディングモータ４１は、モータアングル４６を介してメカシャーシ２２に取り付けられている。
【００２６】
ローディングモータ４１の駆動軸には、ホイールギヤ４２が歯合している。ホイールギヤ４２には、中間ギヤ４３が歯合している。中間ギヤ４３は、大径ギヤ部４３ａと小径ギヤ部４３ｂとを有している。中間ギヤ４３は、大径ギヤ部４３ａでホイールギヤ４２に歯合し、小径ギヤ部４３ｂで駆動ギヤ４４と歯合している。
【００２７】
図８は、トレイ３のディスク載置面とは反対側の面（以下、裏面という）の平面図である。トレイ３の裏面には、搬送方向Ｘに延在するようにラック３ｄが設けられている。図６〜図７Ｂに示す駆動ギヤ４４は、ラック３ｄに歯合する。ローディングモータ４１が駆動されると、その駆動力により駆動軸４１ａ、ホイールギヤ４２、中間ギヤ４３、駆動ギヤ４４が回転する。駆動ギヤ４４の回転により、駆動ギヤ４４と噛み合うラック３ｄを含むトレイ３が、搬送方向Ｘに搬送される。
【００２８】
また、駆動ギヤ４４は、トレイ３が記録再生位置Ｐ２に位置するとき、図６に示すように、筐体２のトレイ搬送口２ａから見てスライダ４５の前端部の右側に設けられたラック４５ａと歯合する。スライダ４５には、幅方向Ｙに延在する２つのガイド溝４５ｂ、４５ｃが設けられている。ガイド溝４５ｂには、メカシャーシ２２に設けられたガイド片２２ｂが係合される。また、ガイド溝４５ｃには、メカシャーシ２２に設けられたガイド片２２ａが係合される。
【００２９】
駆動ギヤ４４とラック４５ａとが歯合した状態で駆動ギヤ４４が回転すると、スライダ４５は、ガイド溝４５ｂ、４５ｃがガイド片２２ｂ、２２ａにガイドされることによって、幅方向Ｙに移動される。この移動に伴い、図５に示すように、第１光ピックアップユニット５を保持する第１トラバースシャーシ６の前端部（スライダ４５側の端部）がトレイ３から離れる方向（下降方向）に移動する。また、トレイ３が記録再生位置Ｐ２から排出位置Ｐ１まで移動する。また、第１トラバースシャーシ６の前端部とトレイ３との移動に伴い、第２光ピックアップユニット７を保持する第２トラバースシャーシ８の前端部がトレイ３から離れる方向（上昇方向）に移動する。第１トラバースシャーシ６及び第２トラバースシャーシ８を回動させる回動機構９については、後で詳しく説明する。なお、第１トラバースシャーシ６と第２トラバースシャーシ８とはそれぞれ、前端部と、前端部よりも側面２Ａから遠い後端部とを有している。
【００３０】
図９Ａは、第１光ピックアップユニット５を保持している第１トラバースシャーシ６を斜め上方から見た斜視図である。図９Ｂは、この状態の第１トラバースシャーシ６を斜め下方から見た斜視図である。図９Ｃは、この状態の第１トラバースシャーシ６を上方から見た平面図である。
【００３１】
第１光ピックアップユニット５は、記録再生位置Ｐ２に位置するディスクの第一面（下面）に対して半径方向Ｒに移動可能に設けられ、このディスクの第一面に対して情報の記録再生を行うように構成されている。
【００３２】
図９Ａ及び図９Ｃに示すように、第１光ピックアップユニット５は、ベース部材５１と、ベース部材５１に保持される光ピックアップ５２とを有している。光ピックアップ５２は、２つのレンズ５２ａ、５２ｂを有し、ディスクに対して情報の記録再生を行う。例えば、レンズ５２ａはＢＤ用のレンズであり、レンズ５２ｂはＤＶＤ用のレンズである。レンズ５２ａ、５２ｂは、ベース部材５１に上下動可能に取り付けられている。
【００３３】
第１トラバースシャーシ６は、板金を折り曲げ加工、穴空け加工等することにより構成されている。第１トラバースシャーシ６は、平面視において、略矩形状に形成され、筐体２の後方側に配置される両端部が幅方向Ｙに突出した形状に形成されている。第１トラバースシャーシ６の４つの角部の近傍には、弾性部材で構成されたダンパ６１が装着されている。第１トラバースシャーシ６は、これら４つのダンパ６１を介してメカシャーシ２２に対してフローティング（上下浮動可能）状態で支持される。
【００３４】
第１トラバースシャーシ６には、記録再生位置Ｐ２においてトレイ３上に載置されたディスク（図示せず）を支持するターンテーブル６２と、ターンテーブル６２を回転駆動するスピンドルモータ６３とが取り付けられている。また、第１トラバースシャーシ６には、主軸６４と、副軸６５とが取り付けられている。
【００３５】
金属製の主軸６４は、円柱状である。主軸６４は、ディスクの半径方向Ｒと平行に配置され、ベース部材５１に設けられたガイド穴５１ａを貫通して第１光ピックアップユニット５を摺動可能に支持するとともに、第１光ピックアップユニット５の移動を案内する。
【００３６】
また、主軸６４は、２つのねじりコイルばねＢ１の穴部に挿入され、軸方向（半径方向Ｒ）と交差する方向の移動を規制されている。２つのねじりコイルばねＢ１は、それぞれの両端部が第１トラバースシャーシ６の主面に係合している。主軸６４の両端部は、第１トラバースシャーシ６の主面から立設され且つ互いに対向する一対の抜け止め部６ａに接触することで軸方向の移動が規制されている。
【００３７】
また、主軸６４の一端部の近傍部分には、第１トラバースシャーシ６の厚さ方向における主軸６４の位置を調整可能な調整部材Ａ１が設けられている。調整部材Ａ１は、例えば、ビスである。調整部材Ａ１は、第１トラバースシャーシ６に設けられた貫通穴を通じて主軸６４の外周面に接触するようにねじ込まれ、そのねじ込み量を調整することで、第１トラバースシャーシ６の厚さ方向における主軸６４の位置を調整可能に構成されている。
【００３８】
金属製の副軸６５もまた、円柱状である。副軸６５は、主軸６４と平行に配置され、主軸６４と協働して第１光ピックアップユニット５を摺動可能に支持するとともに第１光ピックアップユニット５の移動を案内する。
【００３９】
また、副軸６５は、２つのねじりコイルばねＢ２の穴部に挿入され、軸方向（半径方向Ｒ）と交差する方向の移動を規制されている。２つのねじりコイルばねＢ２は、それぞれの両端部が第１トラバースシャーシ６の主面に係合している。副軸６５の両端部は、第１トラバースシャーシ６の主面から立設され且つ互いに対向する一対の抜け止め部６ｂに接触することで軸方向の移動が規制されている。
【００４０】
また、副軸６５の両端部の近傍部分には、第１トラバースシャーシ６の厚さ方向における副軸６５の位置を調整可能な調整部材Ａ２がそれぞれ設けられている。調整部材Ａ２は、例えば、ビスである。調整部材Ａ２は、第１トラバースシャーシ６に設けられた貫通穴を通じて副軸６５の外周面に接触するようにねじ込まれ、そのねじ込み量を調整することで、第１トラバースシャーシ６の厚さ方向における副軸６５の位置を調整可能に構成されている。
【００４１】
また、第１トラバースシャーシ６には、リードスクリュー６６が取り付けられている。リードスクリュー６６は、第１光ピックアップユニット５から見て主軸６４よりも離れる側（より遠い位置）において、主軸６４と平行に配置されている。すなわち、リードスクリュー６６は、半径方向Ｒに平行に延在するように配置されている。
【００４２】
リードスクリュー６６には、ナット部６７が螺合している。ナット部６７は、第１光ピックアップユニット５のベース部材５１に取り付けられている。リードスクリュー６６の第一端部には、回転力を発生させるステッピングモータ６８が取り付けられている。リードスクリュー６６の第二端部は、第１トラバースシャーシ６の主面から立設された保持部６ｃに回転可能に保持されるとともに軸方向の移動を規制されている。
【００４３】
ステッピングモータ６８が回転力を発生させることにより、リードスクリュー６６が軸まわりに回転し、リードスクリュー６６に螺合するナット部６７が半径方向Ｒに平行に移動する。これにより、ナット部６７が取り付けられた第１光ピックアップユニット５が半径方向Ｒに移動する。
【００４４】
なお、第１トラバースシャーシ６には、図４〜図６に示すように、主軸６４を覆うように主軸カバーＣ１が取り付けられるとともに、副軸６５を覆うように副軸カバーＣ２が取り付けられてもよい。これにより、主軸６４及び副軸６５にユーザが不用意に触れてしまうことを抑えることができる。また、主軸６４及び副軸６５に塗布されたグリース等の潤滑剤が周囲に飛散して、ディスクを汚損することを抑えることができる。
【００４５】
図１０Ａは、第２光ピックアップユニット７を保持している第２トラバースシャーシ８を斜め上方から見た斜視図である。図１０Ｂは、この状態の第２トラバースシャーシ８を斜め下方から見た斜視図である。図１０Ｃは、この状態の第２トラバースシャーシ８を下方から見た平面図である。
【００４６】
第２光ピックアップユニット７は、記録再生位置Ｐ２に位置するディスクの第二面（上面）に対して半径方向Ｒに移動可能に設けられ、このディスクの第二面に対して情報の記録再生を行うように構成されている。
【００４７】
第２光ピックアップユニット７は、図１０Ｂ及び図１０Ｃに示すように、ベース部材７１と、ベース部材７１に保持された光ピックアップ７２とを有している。光ピックアップ７２は、２つのレンズ７２ａ、７２ｂを有し、ディスクに対して情報の記録再生を行う。例えば、レンズ７２ａはＢＤ用のレンズであり、レンズ７２ｂはＤＶＤ用のレンズである。レンズ７２ａ、７２ｂは、ベース部材７１に上下動可能に取り付けられている。
【００４８】
第２トラバースシャーシ８は、板金を折り曲げ加工、穴空け加工等することにより構成されている。第２トラバースシャーシ８は、平面視において、略矩形状に形成されている。第２トラバースシャーシ８には、記録再生位置Ｐ２においてディスクをターンテーブル６２上にクランプするクランパ８２が取り付けられている。クランパ８２は、ターンテーブル６２との位置合わせを容易にするため、第２トラバースシャーシ８に対して遊びを有するように取り付けられている。具体的には、クランパ８２は、図３に示すように、ヨーク８２ａを介して、第２トラバースシャーシ８に設けられた貫通穴を貫通し、クランパストッパ８２ｂに取り付けられている。また、ターンテーブル６２及びクランパ８２は、磁力により互いに引き合うように、それぞれ磁石（図示せず）を有している。
【００４９】
第２トラバースシャーシ８には、主軸８４と、副軸８５とが取り付けられている。
【００５０】
金属製の主軸８４は、円柱状である。主軸８４は、ディスクの半径方向Ｒと平行に配置され、ベース部材７１に設けられたガイド穴７１ａを貫通して第２光ピックアップユニット７を摺動可能に支持するとともに、第２光ピックアップユニット７の移動を案内する。
【００５１】
また、主軸８４は、２つのねじりコイルばねＢ３の穴部に挿入され、軸方向（半径方向Ｒ）と交差する方向の移動を規制されている。２つのねじりコイルばねＢ３は、それぞれの両端部が第２トラバースシャーシ８の主面に係合している。主軸８４の両端部は、第２トラバースシャーシ８の主面から立設され且つ互いに対向する一対の抜け止め部８ａに接触することで軸方向の移動が規制されている。
【００５２】
また、主軸８４の両端部の近傍部分には、第２トラバースシャーシ８の厚さ方向における主軸８４の位置を調整可能な調整部材Ａ３がそれぞれ設けられている。調整部材Ａ３は、例えば、ビスである。図１１は、図１０Ｃの１１−１１線における断面図である。調整部材Ａ３は、第２トラバースシャーシ８に設けられた貫通穴を通じて主軸８４の外周面に接触するようにねじ込まれ、そのねじ込み量を調整することで、第２トラバースシャーシ８の厚さ方向における主軸８４の位置を調整可能に構成されている。
【００５３】
また、主軸８４の一端部の近傍部分には、第２トラバースシャーシ８の幅方向における主軸８４の位置を調整可能な調整部材Ａ４が設けられている。調整部材Ａ４は、第２トラバースシャーシ８の主面から立設された立壁８ｅの貫通穴を通じて主軸８４の外周面に接触するようにねじ込まれ、そのねじ込み量を調整することで、第２トラバースシャーシ８の幅方向における主軸８４の位置を調整可能に構成されている。これにより、主軸８４の位置精度を向上させることができる。
【００５４】
金属製の副軸８５もまた、円柱状である。副軸８５は、主軸８４と平行に配置され、主軸８４と協働して第２光ピックアップユニット７を摺動可能に支持するとともに第２光ピックアップユニット７の移動を案内する。
【００５５】
また、副軸８５は、２つのねじりコイルばねＢ４の穴部に挿入され、軸方向（半径方向Ｒ）と交差する方向の移動を規制されている。２つのねじりコイルばねＢ４は、それぞれの両端部が第２トラバースシャーシ８の主面に係合している。副軸８５の両端部は、第２トラバースシャーシ８の主面から立設され且つ互いに対向する一対の抜け止め部８ｂに接触することで軸方向の移動が規制されている。
【００５６】
また、副軸８５の両端部の近傍部分には、第２トラバースシャーシ８の厚さ方向における副軸８５の位置を調整可能な調整部材Ａ５がそれぞれ設けられている。調整部材Ａ５は、例えば、ビスである。調整部材Ａ５は、第２トラバースシャーシ８に設けられた貫通穴を通じて副軸８５の外周面に接触するようにねじ込まれ、そのねじ込み量を調整することで、第２トラバースシャーシ８の厚さ方向における副軸８５の位置を調整可能に構成されている。
【００５７】
また、第２トラバースシャーシ８には、リードスクリュー８６が取り付けられている。リードスクリュー８６は、第２光ピックアップユニット７から見て主軸８４よりも離れる側（より遠い位置）において、主軸８４と平行に配置されている。すなわち、リードスクリュー８６は、半径方向Ｒに平行に延在するように配置されている。
【００５８】
リードスクリュー８６には、ナット部８７が螺合している。ナット部８７は、第２光ピックアップユニット７のベース部材７１に取り付けられている。リードスクリュー８６の第一端部には、回転力を発生させるステッピングモータ８８が取り付けられている。リードスクリュー８６の第二端部は、第２トラバースシャーシ８の主面から立設された保持部８ｃに回転可能に保持されるとともに軸方向の移動を規制されている。
【００５９】
ステッピングモータ８８が回転力を発生させることにより、リードスクリュー８６が軸まわりに回転し、リードスクリュー８６に螺合するナット部８７が半径方向Ｒに平行に移動する。これにより、ナット部８７が取り付けられた第２光ピックアップユニット７が半径方向Ｒに移動する。
【００６０】
また、第２トラバースシャーシ８の、筐体２の後方側に配置される両端部にはそれぞれ、図１０Ａ〜図１０Ｃに示すように、第２トラバースシャーシ８の主面から厚さ方向に突出する突出片８ｄが設けられている。それぞれの突出片８ｄには、幅方向Ｙにおいて互いに離れる方向に突出する係合ピン８９ａ、８９ｂの一方が形成されている。
【００６１】
また、第２トラバースシャーシ８の筐体２の後方側に配置される両端部のうち、係合ピン８９ａが設けられた端部の近傍には、フック部１０１（図１０Ａ及び図１０Ｃ参照）が形成されている。フック部１０１には、第１付勢部材の一例であるコイルばね１００ａの第一端が係合されている。フック部１０１は、幅方向Ｙにおいて、第２トラバースシャーシ８の内側に位置するように、第２トラバースシャーシ８の主面に設けられている。また、第２トラバースシャーシ８の筐体２の後方側に配置される両端部のうち、係合ピン８９ｂが設けられた端部の近傍には、フック部１０２が形成されている。フック部１０２には、第２付勢部材の一例であるコイルばね１００ｂの第一端が係合されている。フック部１０２は、幅方向Ｙにおいて、第２トラバースシャーシ８の外側に位置するように突出片８ｄから延伸されている。
【００６２】
一方、第１トラバースシャーシ６の筐体２の後方側に配置される両端部にはそれぞれ、図９Ａ〜図９Ｃに示すように、第１トラバースシャーシ６の主面から厚さ方向Ｚに突出する突出片６ｄが設けられている。図９Ａに示すように、それぞれの突出片６ｄには、筐体２の後方側に位置する部分を切り欠いた係合部６９ａ、６９ｂの一方が形成されている。
【００６３】
また、それぞれの突出片６ｄには、筐体２の前方側に位置する部分を切り欠いたフック部１０３が形成されている。係合部６９ａが設けられた突出片６ｄのフック部１０３には、コイルばね１００ａの第二端が係合している。係合部６９ｂが設けられた突出片６ｄのフック部１０３には、コイルばね１００ｂの第二端が係合している。
【００６４】
図１２Ａ及び図１２Ｂは、第１光ピックアップユニット５を保持する第１トラバースシャーシ６と、第２光ピックアップユニット７を保持する第２トラバースシャーシ８とを互いに連結した状態を示す斜視図である。
【００６５】
第２トラバースシャーシ８の係合ピン８９ａが第１トラバースシャーシ６の係合部６９ａに係合するとともに、第２トラバースシャーシ８の係合ピン８９ｂが第１トラバースシャーシ６の係合部６９ｂに係合している。その状態で、コイルばね１００ａの第一端がフック部１０１に係合するとともに、コイルばね１００ａの第二端がフック部１０３に係合している。また、コイルばね１００ｂの第一端がフック部１０２に係合するとともに、コイルばね１００ｂの第二端がフック部１０３に係合している。これにより、第１トラバースシャーシ６と第２トラバースシャーシ８とは、係合ピン８９ａ，８９ｂを回動軸ＡＸとして回動するように互いに連結される。第１トラバースシャーシ６と第２トラバースシャーシ８との連結体は、回動軸ＡＸが筐体２の後方に位置し且つ筐体２の幅方向Ｙに延在するように、メカシャーシ２２に取り付けられる。すなわち、回動軸ＡＸは側面２Ａの反対側に位置している。
【００６６】
係合部６９ａと係合ピン８９ａとは、第１トラバースシャーシ６と第２トラバースシャーシ８とを連結する第１連結部を構成している。この第１連結部は、筐体２における、側面２Ａの反対側に位置する。第１付勢部材の一例であるコイルばね１００ａは、この第１連結部の近傍に取り付けられている。コイルばね１００ａは、搬送方向Ｘ、幅方向Ｙ、厚さ方向Ｚのそれぞれの方向に対して傾斜している。このようにコイルばね１００ａが傾斜するように、コイルばね１００ａの第一端は第１トラバースシャーシ６のフック部１０３に取り付けられ、第二端は第２トラバースシャーシ８のフック部１０１に取り付けられている。
【００６７】
また、係合部６９ｂと係合ピン８９ｂとは、第１トラバースシャーシ６と第２トラバースシャーシ８とを連結する第２連結部を構成している。この第２連結部もまた、筐体２における、側面２Ａの反対側に位置する。第２付勢部材の一例であるコイルばね１００ｂは、この第２連結部の近傍に取り付けられている。すなわち、第１付勢部材であるコイルばね１００ａは、第２連結部よりも第１連結部に近い位置に取り付けられ、第２付勢部材であるコイルばね１００ｂは、第１連結部よりも第２連結部に近い位置に取り付けられている。
【００６８】
コイルばね１００ｂは、搬送方向Ｘ、厚さ方向Ｚのそれぞれの方向に対して傾斜している。このようにコイルばね１００ｂが傾斜するように、コイルばね１００ｂの第一端は第１トラバースシャーシ６のフック部１０３に取り付けられ、第二端は第２トラバースシャーシ８のフック部１０２に取り付けられている。
【００６９】
このようにコイルばね１００ａ，１００ｂを取り付けることにより、第１トラバースシャーシ６と第２トラバースシャーシ８とを、ガタつきを抑えて互いに連結することができる。その結果、ディスクに対する第１光ピックアップユニット５及び第２光ピックアップユニット７の位置精度をより向上させることができる。
【００７０】
次に、第１トラバースシャーシ６及び第２トラバースシャーシ８を回動させる回動機構９について説明する。
【００７１】
回動機構９は、トレイ搬送機構４がトレイ３を記録再生位置Ｐ２から排出位置Ｐ１に搬送する駆動力を利用して、第１トラバースシャーシ６の前端部及び第２トラバースシャーシ８の前端部のそれぞれを、コイルばね１００ａ、１００ｂの付勢力に抗してディスクから離れるように回動軸ＡＸを中心として回動させる。
【００７２】
回動機構９は、図３に示すように、中間ベース９１と、スライドカム９２と、リフタ９３とを有している。
【００７３】
中間ベース９１は、樹脂製で、平面視において略Ｕ字状である。中間ベース９１は、幅方向Ｙに延在するように配置される前壁９１ａと、搬送方向Ｘに延在するように配置される一対の側壁９１ｂとを有している。中間ベース９１の側壁９１ｂのそれぞれの後端部には、幅方向Ｙにおいて互いに離れる方向に突出する係合ピン９１ｃが形成されている。なお図３では係合ピン９１ｃの一方が示されている。係合ピン９１ｃは、メカシャーシ２２の筐体２の後方側に設けられた軸受部（図示せず）に回動自在に係合される。これにより、中間ベース９１は、係合ピン９１ｃを回動軸として回動可能となる。
【００７４】
中間ベース９１には、第１トラバースシャーシ６の前方側に設けられた２つのダンパ６１を下方から支持する支持部（図示せず）が設けられている。中間ベース９１の支持部がダンパ６１を支持することにより、第１トラバースシャーシ６と中間ベース９１とは一体的に回動する。
【００７５】
中間ベース９１の前壁９１ａには、前方に突出する２つのカムピン９１ｄが設けられている。カムピン９１ｄはそれぞれ、図７Ｂに示すスライドカム９２に設けられた２つのカム溝９２ａに係合される。
【００７６】
図１３Ａ〜図１３Ｄは、中間ベース９１のカムピン９１ｄが、スライドカム９２に設けられたカム溝９２ａに沿って移動する様子を模式的に示す断面図である。カムピン９１ｄがそれぞれ、カム溝９２ａに沿って移動することで、中間ベース９１及び第１トラバースシャーシ６が昇降する。
【００７７】
スライドカム９２は樹脂製で矩形板状であり、幅方向Ｙに沿って配置されている。スライドカム９２は、スライダ４５と一体的に形成されている。従って、スライドカム９２は、スライダ４５と一体的に移動する。スライドカム９２のカム溝９２ａはそれぞれ、図１３Ａ〜図１３Ｄに示すように、第１直線部９２ａａと、傾斜部９２ａｂ、第２直線部９２ａｃとを有している。第１直線部９２ａａ及び第２直線部９２ａｃは、幅方向Ｙに延在するように形成されている。第１直線部９２ａａは、スライドカム９２の上辺に沿い、第２直線部９２ａｃは、スライドカム９２の下辺に沿っている。傾斜部９２ａｂは、図１３Ａ〜図１３Ｄにおいて、第１直線部９２ａａの左側端部と第２直線部９２ａｃの右側端部とを接続している。
【００７８】
図７Ａに示すように、リフタ９３は、側面視において略Ｕ字状の金属製の部材である。リフタ９３は、幅方向Ｙに延在するように配置される前壁９３ａと、搬送方向Ｘ及び厚さ方向Ｚに対して平行な面を有する一対の側壁９３ｂとを有している。側壁９３ｂのそれぞれの前方上部には、幅方向Ｙにおいて互いに離れる方向に突出する係合ピン９３ｃが形成されている。係合ピン９３ｃは、メカシャーシ２２の筐体２の前方上部に設けられた軸受部（図示せず）に回動自在に係合される。これにより、リフタ９３は、係合ピン９３ｃを回動軸として回動可能となる。
【００７９】
前壁９３ａには、図６に示すように、幅方向Ｙにおいて、駆動ギヤ４４から離れるに従い前方に傾斜する傾斜面９３ｄが形成されている。スライダ４５が幅方向Ｙに移動する際、スライダ４５の一部が傾斜面９３ｄ上を摺動することにより、リフタ９３は、係合ピン９３ｃを回動軸として回動する。
【００８０】
側壁９３ｂはそれぞれ、係合ピン９３ｃを回動軸として後端部を持ち上げるように回動するとき、第２トラバースシャーシ８の一部に接触して、第２トラバースシャーシ８の前端部を上方に持ち上げる。
【００８１】
［１−２．動作］
以上のように構成されたディスク装置について、その動作を以下説明する。
【００８２】
図１４は、ディスク装置１から筐体２を取り除いた状態で、トレイ３が記録再生位置Ｐ２に位置するときの各種部品、装置、及び機構の状態のディスク装置１の一部を示す側面図である。また、図６、図１３Ａも、トレイ３が記録再生位置Ｐ２に位置するときの各種部品、装置、及び機構の状態を示している。なお、図１５は、図５に示す状態から更にトレイ３を取り外した状態のディスク装置１の一部を示す斜視図である。図１６は、図１４に示す状態のディスク装置１の一部において、トレイ３が排出位置Ｐ１に位置するときの各種部品、装置、及び機構の状態を示す側面図である。
【００８３】
図６に示すように、トレイ３が記録再生位置Ｐ２に位置するとき、スライダ４５は、ラック４５ａが駆動ギヤ４４と歯合する位置に位置する。図１３Ａに示すように、中間ベース９１のカムピン９１ｄはそれぞれ、第１直線部９２ａａに位置する。図１４に示すように、第１トラバースシャーシ６と第２トラバースシャーシ８とは、互いに連結され、搬送方向Ｘと平行な状態にある。
【００８４】
図６に示す状態から駆動ギヤ４４が回転駆動されると、駆動ギヤ４４とラック４５ａで噛み合うスライダ４５が、幅方向Ｙにおいて駆動ギヤ４４から離れるように搬送される。スライダ４５の搬送に伴い、中間ベース９１のカムピン９１ｄがそれぞれ、第１直線部９２ａａ内を摺動し、図１３Ｂに示す位置に移動する。
【００８５】
その後、更に駆動ギヤ４４が回転駆動され、スライダ４５が幅方向Ｙにおいて駆動ギヤ４４から離れるように搬送されると、中間ベース９１のカムピン９１ｄがそれぞれ、傾斜部９２ａｂ内を摺動し、図１３Ｃに示す位置に移動する。すなわち、カムピン９１ｄがそれぞれ、傾斜部９２ａｂによって押し下げられ、中間ベース９１が係合ピン９１ｃを回動軸として回動して、中間ベース９１の前壁９１ａが下降する。これにより、中間ベース９１に支持された第１トラバースシャーシ６の前端部が下降し、第１光ピックアップユニット５がトレイ３から離れる。
【００８６】
その後、更に駆動ギヤ４４が回転駆動され、スライダ４５が幅方向Ｙに搬送されると、中間ベース９１のカムピン９１ｄがそれぞれ、第２直線部９２ａｃ内を摺動し、図１３Ｄに示す位置に移動する。この過程で、スライダ４５の一部がリフタ９３の傾斜面９３ｄ上を摺動し、傾斜面９３ｄを搬送方向Ｘにおいて筐体２の後方側へ押す。これにより、図１５に示すように、リフタ９３の側壁９３ｂがそれぞれ、係合ピン９３ｃを回動軸として後端部を持ち上げるように回動する。この回動により、図１６に示すように、リフタ９３の側壁９３ｂがそれぞれ、第２トラバースシャーシ８の一部に接触して、第２トラバースシャーシ８の前端部を上方に持ち上げる。これにより、第２光ピックアップユニット７がトレイ３から離れる。また、中間ベース９１のカムピン９１ｄがそれぞれ、第２直線部９２ａｃ内の図１３Ｄに示す位置に移動すると、駆動ギヤ４４とスライダ４５のラック４５ａとの歯合が外れる。その結果、トレイ３は、排出位置Ｐ１へと移動可能となる。
【００８７】
トレイ３の排出位置Ｐ１から記録再生位置Ｐ２へ移動は、基本的にはトレイ３の記録再生位置Ｐ２から排出位置Ｐ１への移動と逆の動作をする。以下、その移動について説明する。
【００８８】
トレイ３の裏面には、図８に示すように、カム溝３ｅが形成されている。カム溝３ｅには、図６及び図７Ａに示すようにスライダ４５に設けられたカムピン４５ｄが係合される。カム溝３ｅは、第１直線部３ｅａと、第１傾斜部３ｅｂと、第２直線部３ｅｃと、第２傾斜部３ｅｄとを有している。第１直線部３ｅａ及び第２直線部３ｅｃは、搬送方向Ｘに延在している。第１傾斜部３ｅｂ及び第２傾斜部３ｅｄは、搬送方向Ｘ及び幅方向Ｙに対して傾斜している。第１傾斜部３ｅｂは、図８において、第１直線部３ｅａの下端部と第２直線部３ｅｃの上端部とを接続している。第２傾斜部３ｅｄの第一端部は第２直線部３ｅｃの下端部に接続され、第二端部は開放されている。
【００８９】
トレイ３が排出位置Ｐ１に位置するとき、スライダ４５のカムピン４５ｄは、第１直線部３ｅａ内に位置する。この状態からトレイ３が筐体２内に向けて押されると、カムピン４５ｄが、第１直線部３ｅａを通過して第１傾斜部３ｅｂ内を摺動し、第２直線部３ｅｃに移動する。これにより、スライダ４５が幅方向Ｙにおいて駆動ギヤ４４に近づくように押されて、駆動ギヤ４４とスライダ４５のラック４５ａとが歯合する（図１５参照）。
【００９０】
この状態で駆動ギヤ４４が逆方向に回転駆動されると、駆動ギヤ４４と、ラック３ｄ（図８参照）で噛み合うトレイ３とが記録再生位置Ｐ２に搬送される。このとき、カムピン４５ｄが第２直線部３ｅｃ内を摺動することにより、スライダ４５の幅方向Ｙの移動が規制される。
【００９１】
カムピン４５ｄが、第２直線部３ｅｃを通過して第２傾斜部３ｅｄを摺動すると、駆動ギヤ４４が逆方向に回転駆動することにより、カムピン４５ｄが駆動ギヤ４４に近づくようにスライダ４５が幅方向Ｙにおいて移動する。
【００９２】
その後、スライダ４５のカムピン４５ｄが、第２傾斜部３ｅｄの端部を通過すると、スライダ４５の幅方向Ｙの移動の規制がなくなり、カムピン４５ｄが駆動ギヤ４４に近づくようにスライダ４５が幅方向Ｙにおいてさらに移動する。これにより、中間ベース９１のカムピン９１ｄがそれぞれ、第２直線部９２ａｃ内を摺動し、図１３Ｃに示す位置に移動する。この過程で、スライダ４５の一部がリフタ９３の傾斜面９３ｄ上を摺動し、リフタ９３の前壁９３ａが搬送方向Ｘにおいて筐体２の前方側に移動する。これにより、リフタ９３の側壁９３ｂがそれぞれ、図１６に示すように、係合ピン９３ｃを回動軸として第２トラバースシャーシ８から離れるように回動する。これにより、第２トラバースシャーシ８が下降し、第２光ピックアップユニット７がトレイ３に近づく。
【００９３】
その後、カムピン４５ｄが駆動ギヤ４４に近づくようにスライダ４５が幅方向Ｙにおいて更に搬送されると、中間ベース９１のカムピン９１ｄがそれぞれ、傾斜部９２ａｂ内を摺動し、図１３Ｂに示す位置に移動する。すなわち、カムピン９１ｄがそれぞれ傾斜部９２ａｂによって持ち上げられ、中間ベース９１が係合ピン９１ｃを回動軸として回動して、中間ベース９１の前壁９１ａが上昇する。これにより、中間ベース９１に支持される第１トラバースシャーシ６の前端部が上昇し、第１光ピックアップユニット５がトレイ３に近づく。このとき、トレイ３上のディスクがクランパ８２によりターンテーブル６２上にクランプされる。この状態でスピンドルモータ６３を回転駆動させることにより、ディスクに対して情報の記録再生が可能となる。
【００９４】
［１−３．効果等］
以上のように、本実施の形態においては、コイルばね１００ａが、搬送方向Ｘ、幅方向Ｙ、厚さ方向Ｚのそれぞれの方向に対して傾斜するように第１トラバースシャーシ６及び第２トラバースシャーシ８に取り付けられている。これにより、第１トラバースシャーシ６と第２トラバースシャーシ８とを、ガタつきを抑えて互いに連結することができる。その結果、ディスクに対する第１光ピックアップユニット５及び第２光ピックアップユニット７の位置精度をより向上させることができる。
【００９５】
なお、コイルばね１００ａ、１００ｂの少なくとも一方を搬送方向Ｘ、幅方向Ｙ、厚さ方向Ｚのそれぞれの方向に対して傾斜するように第１トラバースシャーシ６及び第２トラバースシャーシ８に取り付ければよい。これにより、上記効果を得ることができる。
【００９６】
また、本実施の形態においては、第１付勢部材であるコイルばね１００ａが第１連結部を構成する係合部６９ａ及び係合ピン８９ａの近傍に取り付けられ、第２付勢部材であるコイルばね１００ｂが第２連結部を構成する係合部６９ｂ及び係合ピン８９ｂの近傍に取り付けられている。すなわち、コイルばね１００ａ、１００ｂは、回動軸ＡＸの近傍に配置されている。これにより、第１トラバースシャーシ６の前端部と第２トラバースシャーシ８の前端部に掛かるコイルばね１００ａ、１００ｂの付勢力は弱くなるので、リフタ９３により第２トラバースシャーシ８を容易に持ち上げることができる。
【００９７】
また、本実施の形態においては、回動機構９が、第１トラバースシャーシ６の前端部及び第２トラバースシャーシ８の前端部のそれぞれを、コイルばね１００ａ、１００ｂの付勢力に抗してトレイ３から離れるように回動軸ＡＸを中心として回動させる。これにより、第１トラバースシャーシ６と第２トラバースシャーシ８とにディスクの両主面（記録面）が接触することにより、ディスクの両主面が傷つくことをより確実に抑えることができる。
【００９８】
また、本実施の形態において、回動機構９は、トレイ搬送機構４がトレイ３を記録再生位置Ｐ２から排出位置Ｐ１に搬送する駆動力を利用して、第１トラバースシャーシ６及び第２トラバースシャーシ８を、回動軸ＡＸを中心として回動させる。これにより、回動機構９を駆動するために別途モータを設ける必要が無い。その結果、部品点数の増加を抑えて、サイズ及びコストの増加を抑えることができる。
【００９９】
また、本実施の形態においては、第２トラバースシャーシ８にクランパ８２が設けられている。これにより、クランパ８２を設けるために別途クランプ板を設ける必要が無い。その結果、部品点数の増加を抑えて、サイズ及びコストの増加を抑えることができる。
【０１００】
また、本実施の形態においては、主軸８４の両端部の近傍部分及び副軸８５の両端部の近傍部分に、第２トラバースシャーシ８の厚さ方向における主軸８４及び副軸８５の位置を調整可能な調整部材Ａ３、Ａ５がそれぞれ設けられている。これにより、部品の寸法精度に頼らずに、第２トラバースシャーシ８の厚さ方向における主軸８４及び副軸８５の位置精度を向上させることができる。その結果、ディスクに対する第１光ピックアップユニット５及び第２光ピックアップユニット７の位置精度をより向上させることができる。
【０１０１】
以上のように、本開示による技術の例示として、実施の形態を説明した。しかしながら、本開示における技術は、これに限定されるものではなく、適宜、変更、置き換え、付加、省略などを行った実施の形態にも適用可能である。また、前述の実施の形態で説明した各構成要素を組み合わせて、新たな実施の形態とすることも可能である。
【０１０２】
また、以上の説明では、本開示における技術の例示として、実施の形態を説明し、そのために、添付図面及び詳細な説明を提供した。したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０３】
また、前述の実施の形態は、本開示における技術を例示するためのものであるから、請求の範囲又はその均等の範囲において種々の変更、置き換え、付加、省略などを行うことができる。
【産業上の利用可能性】
【０１０４】
本開示のディスク装置は、ディスクに対する第１光ピックアップユニット及び第２光ピックアップユニットの位置精度をより向上させることができるので、ディスクの両主面に対して同時に記録再生を行うディスク装置に有用である。
【符号の説明】
【０１０５】
１    ディスク装置
２    筐体
２Ａ    側面
２ａ    トレイ搬送口
２１    蓋ケース
２２    メカシャーシ
２３    底ケース
２４    扉
２４ａ    回動軸
２５    ねじりコイルばね
３    トレイ
３ａ    前端部
３ｂ    保持部
３ｃ    開口部
３ｄ    ラック
３ｅ    カム溝
４    トレイ搬送機構
４１    ローディングモータ
４２    ホイールギヤ
４３    中間ギヤ
４３ａ    大径ギヤ部
４３ｂ    小径ギヤ部
４４    駆動ギヤ
４５    スライダ
４５ａ    ラック
４５ｂ，４５ｃ    ガイド溝
４５ｄ    カムピン
４６    モータアングル
５    第１光ピックアップユニット
５１    ベース部材
５１ａ    ガイド穴
５２    光ピックアップ
５２ａ，５２ｂ    レンズ
６    第１トラバースシャーシ
６ａ    抜け止め部
６ｂ    抜け止め部
６ｃ    保持部
６ｄ    突出片
６１    ダンパ
６２    ターンテーブル
６３    スピンドルモータ
６４    主軸
６５    副軸
６６    リードスクリュー
６７    ナット部
６８    ステッピングモータ
６９ａ，６９ｂ    係合部
７    第２光ピックアップユニット
７１    ベース部材
７１ａ    ガイド穴
７２    光ピックアップ
７２ａ，７２ｂ    レンズ
８    第２トラバースシャーシ
８ａ    抜け止め部
８ｂ    抜け止め部
８ｃ    保持部
８ｄ    突出片
８ｅ    立壁
８２    クランパ
８４    主軸
８５    副軸
８６    リードスクリュー
８７    ナット部
８８    ステッピングモータ
８９ａ，８９ｂ    係合ピン
９    回動機構
９１    中間ベース
９１ａ    前壁
９１ｂ    側壁
９１ｃ    係合ピン
９１ｄ    カムピン
９２    スライドカム
９２ａ    カム溝
９３    リフタ
９３ａ    前壁
９３ｂ    側壁
９３ｃ    係合ピン
９３ｄ    傾斜面
１００ａ，１００ｂ    コイルばね
１０１，１０２，１０３    フック部
Ａ１，Ａ２，Ａ３，Ａ４，Ａ５    調整部材
ＡＸ    回動軸
Ｂ１，Ｂ２，Ｂ３，Ｂ４    ねじりコイルばね
Ｘ    搬送方向
Ｙ    幅方向
Ｚ    厚さ方向
Ｐ１    排出位置
Ｐ２    記録再生位置
【図１】
0006788777.tif 000002
【図２】
0006788777.tif 000003
【図３】
0006788777.tif 000004
【図４】
0006788777.tif 000005
【図５】
0006788777.tif 000006
【図６】
0006788777.tif 000007
【図７Ａ】
0006788777.tif 000008
【図７Ｂ】
0006788777.tif 000009
【図８】
0006788777.tif 000010
【図９Ａ】
0006788777.tif 000011
【図９Ｂ】
0006788777.tif 000012
【図９Ｃ】
0006788777.tif 000013
【図１０Ａ】
0006788777.tif 000014
【図１０Ｂ】
0006788777.tif 000015
【図１０Ｃ】
0006788777.tif 000016
【図１１】
0006788777.tif 000017
【図１２Ａ】
0006788777.tif 000018
【図１２Ｂ】
0006788777.tif 000019
【図１３Ａ】
0006788777.tif 000020
【図１３Ｂ】
0006788777.tif 000021
【図１３Ｃ】
0006788777.tif 000022
【図１３Ｄ】
0006788777.tif 000023
【図１４】
0006788777.tif 000024
【図１５】
0006788777.tif 000025
【図１６】
0006788777.tif 000026